(57)【特許請求の範囲】
【請求項１】
第一扉および前記第一扉の下方に配される第二扉を含み、筐体に形成された開口を開閉する複数の扉と、
前記第一扉の下方でかつ前記第二扉の上方に配されるように前記筐体に固着され、前記第二扉の上縁および前記第一扉の下縁を支持する支持部材と、を備え、
前記第二扉の上縁および前記第一扉の下縁は、当該扉および前記支持部材のうち何れか一方に設けられたヒンジピンが、他方に設けられた軸受孔にクリアランスを有して嵌合されることで、前記第一扉もしくは前記第二扉の縦縁に沿うように配された回動軸周りの回動自在に支持された扉装置において、
前記第一扉および前記第二扉に設けられた、前記ヒンジピンもしくは前記軸受孔は、同軸上に配される一方、
前記支持部材に設けられて前記第二扉の上縁を支持する前記ヒンジピンもしくは前記軸受孔の軸心は、同支持部材に設けられて前記第一扉の下縁を支持する前記ヒンジピンもしくは前記軸受孔の軸心に対して、前記縦縁側にシフトして設けられている扉装置。
【請求項２】
前記支持部材には、上向きに突出する上向ヒンジピンと、下向きに突出する下向ヒンジピンと、が設けられ、
前記第一扉の下縁には前記上向ヒンジピンが嵌合される第一扉下縁軸受孔が、前記第二扉の上縁には前記下向ヒンジピンが嵌合される第二扉上縁軸受孔が、設けられ、
前記筐体において、前記第一扉の上方には第一扉上縁用ヒンジピンが、前記第二扉の下方には第二扉下縁用ヒンジピンが、配され、
前記第一扉の上縁には前記第一扉上縁用ヒンジピンが嵌合される第一扉上縁軸受孔が、前記第二扉の下縁には前記第二扉下縁用ヒンジピンが嵌合される第二扉下縁軸受孔が、設けられ、
前記第一扉は、前記上向ヒンジピンと前記第一扉下縁軸受孔、前記第一扉上縁用ヒンジピンと前記第一扉上縁軸受孔が、前記第二扉は、前記下向ヒンジピンと前記第二扉上縁軸受孔、前記第二扉下縁用ヒンジピンと前記第二扉下縁軸受孔が、それぞれクリアランスを有して嵌合されることで、回動自在に支持され、
前記第一扉上縁軸受孔、前記第一扉下縁軸受孔、前記第二扉上縁軸受孔、および前記第二扉下縁軸受孔は、同軸上に配される一方、
前記下向ヒンジピンの軸心は、前記上向ヒンジピンの軸心に対して、前記縦縁側にシフトして設けられている請求項１に記載の扉装置。
【請求項３】
前記支持部材に設けられて前記第二扉の上縁を支持する前記ヒンジピンもしくは前記軸受孔の軸心の、同支持部材に設けられて前記第一扉の下縁を支持する前記ヒンジピンもしくは前記軸受孔の軸心に対するシフト量は、前記クリアランスに基づいて設定される請求項１または請求項２に記載の扉装置。
【発明の詳細な説明】
【技術分野】
【０００１】
本明細書によって開示される技術は、筐体に形成された開口に取り付けられる扉装置に関する。
【背景技術】
【０００２】
従来、複数の扉を上下に並べて取付けた貯蔵庫が、広く用いられている。例えば下記特許文献１に記載の貯蔵庫では、貯蔵庫本体を形成する筐体の前面に、上下左右に仕切られた合計４つの開口（出入口）が形成され、各開口に１枚ずつ計４枚の扉が、縦軸回りの観音開き式に取り付けられている。各扉は、筐体の開口縁部に固着した支持部材（支持プレート）に設けたヒンジピンを、当該扉の上縁もしくは下縁に設けた軸受孔に嵌合させた、いわゆるヒンジ機構を介して支持される。上側扉の上縁および下側扉の下縁は、それぞれに対応する支持部材によって支持されるが、上側扉の下縁および下側扉の上縁は、１個の支持部材によって併せて支持されている。具体的には、上側扉の下方かつ下側扉の上方に配されるように筐体に固着した１個の支持部材において、上向きに立設したヒンジピンを上側扉の下縁に設けた軸受孔に、下向きに突設したヒンジピンを下側扉の上縁に設けた軸受孔に、それぞれ嵌合させることで、この支持部材の上下に２枚の扉が回動自在に支持されている。
【先行技術文献】
【特許文献】
【０００３】
【特許文献１】特開平１１−２５７８３７号公報
【発明の概要】
【発明が解決しようとする課題】
【０００４】
ところで、ヒンジ機構では、扉のスムーズな回動を目的として、ヒンジピンと軸受孔との間にクリアランスが設定される。このため、扉の自重等によってヒンジ機構とは逆側の縦縁が下がり、扉が傾いてしまうことがある。こうした扉の傾きは、些少であっても様々な不具合を招く。例えば、観音開き式に設置された左右の扉の対向縁部にマグネットおよびシール部材を取り付けて、マグネットの磁力とシール部材の弾性によって左右扉間のシールを実現しているような冷蔵庫においては、扉の下部では、左右の扉の間隔が広がるためにマグネットの磁力が不足して隙間が生じ、冷気漏れや庫内霜付きを招く可能性がある。逆に扉の上部では、左右の扉の間隔が狭くなりすぎてシール部材同士が干渉して閉まらなくなったり、両扉を閉止した状態から片方を開いただけで反対側の扉も一緒に開いてしまったりすることがある。
【０００５】
扉が傾いた場合の対応としては、傾いた扉を支持する支持部材の固着位置を変更して、扉の傾きを調整することが考えられる。しかしながら、上記のように、１個の支持部材によって上下に２枚の扉を支持している場合、例えば下側扉の傾きを解消すべくこの支持部材の固着位置を変更すると、上側扉の支持状態も変わってしまうため、支持部材の固着位置を変えて扉の傾きを調整することは困難である。また、この支持部材の位置を変えずに、上側扉の上縁や下側扉の下縁を支持する支持部材の固着位置を変更すると、上側扉と下側扉とが左右方向においてずれた位置に配されることとなり、開閉状態を良好に保てなくなる虞がある。
【０００６】
本明細書に開示する技術は、上記事情に基づいて完成されたものであり、１個の支持部材の上下にヒンジ機構を介して支持された複数の扉について、扉の開閉状態を良好に維持しつつ傾きを軽減することを目的とする。
【課題を解決するための手段】
【０００７】
本明細書によって開示される扉装置は、第一扉および前記第一扉の下方に配される第二扉を含み、筐体に形成された開口を開閉する複数の扉と、前記第一扉の下方でかつ前記第二扉の上方に配されるように前記筐体に固着され、前記第一扉の下縁および前記第二扉の上縁を支持する支持部材と、を備え、前記第一扉の下縁および前記第二扉の上縁は、当該扉および前記支持部材のうち何れか一方に設けられたヒンジピンが、他方に設けられた軸受孔にクリアランスを有して嵌合されることで、前記第一扉もしくは前記第二扉の縦縁に沿うように配された回動軸周りの回動自在に支持され、前記支持部材に設けられて前記第二扉の上縁を支持する前記ヒンジピンもしくは前記軸受孔の軸心は、前記支持部材に設けられて前記前記第一扉の下縁を支持する前記ヒンジピンもしくは前記軸受孔の軸心に対して、前記縦縁側にシフトして設けられている。
【０００８】
上記構成によれば、第二扉の上縁を支持するヒンジピンもしくは軸受孔の軸心、すなわち第二扉上縁の支持軸を、当該第二扉の回動軸が近接して配される縦縁側にシフトして設けたことにより、第二扉の傾きを軽減できる。この際、支持部材の固着位置を変更するのとは異なり、第一扉下縁の支持軸（第一扉の下縁を支持するヒンジピンもしくは軸受孔の軸心）は通常位置に維持できるため、第一扉の支持状態に影響を与えることなく、第二扉の傾きを軽減できる。この結果、開口を確実に閉止するとともに、扉の開閉に支障が生じる事態を抑制できる。上記構成の扉装置は、従来の構成の扉装置と比較して、支持部材に設けるヒンジピンもしくは軸受孔の位置を変更するだけで構成でき、構成部品点数や製造工程を増加させたり、コストアップを招いたりすることもない。
【０００９】
本明細書によって開示される扉装置において、前記支持部材に設けられて前記第二扉の上縁を支持する前記ヒンジピンもしくは前記軸受孔の軸心の、同支持部材に設けられて前記第一扉の下縁を支持する前記ヒンジピンもしくは前記軸受孔の軸心に対するシフト量は、前記クリアランスに基づいて設定されてもよい。
【００１０】
上記構成のように、第一扉下縁の支持軸に対する第二扉上縁の支持軸のシフト量は、各関連部材の設計値から算出され、或いは測定されるクリアランスに基づいて設定することができる。このようにすれば、第二扉上縁の支持軸を適正量だけシフトさせて、上記のような効果を得ることができる。
【発明の効果】
【００１１】
本明細書によって開示される技術によれば、１個の支持部材の上下にヒンジ機構を介して支持された複数の扉について、扉の開閉状態を良好に維持しつつ傾きを軽減できる。
【図面の簡単な説明】
【００１２】
【図１】一実施形態係る扉装置を備えた貯蔵庫の一実施形態を示す外観斜視図
【図２】ヒンジプレートの取付部分を示す拡大分解斜視図
【図３】ヒンジプレートによる、第一扉下縁および第二扉上縁の支持構造を示す分解斜視図
【図４】ヒンジピンを取付けた状態のヒンジプレートの正面図
【図５】ヒンジピンを取付けた状態のヒンジプレートの側面図
【図６】ヒンジピンを取付けた状態のヒンジプレートの平面図
【図７】第一扉および第二扉の支持状態を模式的に示した断面図
【図８】従来の扉装置における、第一扉および第二扉の支持状態を模式的に示した断面図
【発明を実施するための形態】
【００１３】
以下、本発明に係る扉装置を備えた貯蔵庫の一実施形態を、図１から図６に基づいて説明する。以下の説明では、図１における紙面手前左側を前（正面）、紙面手前右側を右、上側を上とする。また、複数の同一部材については、一部の部材にのみ符号を付し、他の部材については省略することがある。
【００１４】
図１に示すように、本実施形態の扉装置１０を備えた貯蔵庫Ｓ１は、４ドア冷蔵庫であって、断熱箱体からなる筐体１が、底面の四隅に設けられた脚１１によって支持され、内部が貯蔵室１２とされている。筐体１の前面に形成された開口部には、十字形をなす仕切枠１３が取り付けられることで、上下左右に合計４つの開口２が形成され、各開口２に扉３が装着されている。
【００１５】
冷蔵庫本体の上面には、機械室１４が設けられており、機械室１４の内部に、圧縮機、凝縮器等からなる図示しない冷凍ユニットが設置されている。この冷凍ユニットが、貯蔵室１２の天井部等に配された図示しない冷却器と冷媒配管で接続されて、周知の冷凍サイクルが構成されている。冷凍ユニットの制御運転により、貯蔵室１２内がほぼ一定の冷却温度に維持されるとともに、扉３を開閉しつつ、開口２から貯蔵室１２内に貯蔵物が出し入れされるようになっている。
【００１６】
図１に示すように、合計４枚の扉３のうち、上段の開口２に装着される扉を第一扉３１、下段の開口２に装着される扉を第二扉３２とする。以下、４枚の扉を区別せず総称する場合は扉３とし、上段と下段の扉を区別する場合は、第一扉３１または第二扉３２とする。本実施形態では、各２枚の第一扉３１および第二扉３２は、観音開き式に取り付けられており、回動軸が扉の右縦縁に沿って配される第一扉３１、第二扉３２と、回動軸が扉の左縦縁に沿って配される第一扉３１、第二扉３２とは、左右反転させた同様の構造によって支持されるため、以下では、主として右縦縁に沿って回動軸が設けられた右側の第一扉３１および第二扉３２について説明する。
【００１７】
図１に示すように、扉装置１０において、扉３は、当該扉３の上縁および／または下縁がヒンジ機構を介して支持されることで、筐体１に取り付けられる。以下、第一扉３１上縁を支持するヒンジ機構をヒンジ機構４Ａ、第一扉３１上縁と第二扉３２下縁を併せて支持するヒンジ機構をヒンジ機構４Ｂ、第二扉３２の下縁を支持するヒンジ機構をヒンジ機構４Ｃとする。各ヒンジ機構４Ａ，４Ｂ，４Ｃにおいて、扉３は、開口２の上縁および／または下縁に沿って配設されるヒンジプレート（支持部材）４０にヒンジピンを突設して、扉３の上縁および／または下縁に設けた軸受孔に回転自由に挿通させることにより、扉３の一方の縦縁である基端縁３９（請求項における縦縁に相当する）に沿って配される回動軸周りの回動自在に支持される。なお、各ヒンジ機構４Ａ，４Ｂ，４Ｃは、いずれもリフトヒンジ機構である。
【００１８】
第一扉３１下縁および第二扉３２上縁を支持するヒンジ機構４Ｂについて、図２から図６を参照しつつ説明する。
ヒンジプレート４０は、ステンレス製であって、鉛直方向の板面を備えた取付部４１の下縁に、水平方向の板面を備えた支持部４２が直角曲げして形成された概形をなす。図４に示すように、ヒンジプレート４０において、取付部４１の両側部には、取付ネジ１５を挿通させるための貫通孔４３が１個ずつ形成されている。図２に示すように、ヒンジ機構４Ｂに係るヒンジプレート４０は、筐体１前面において、上段の開口２の下縁と下段の開口２の上縁との間でかつ扉３の基端縁３９が配される側縁寄りの位置に形成されたネジ孔と、前述の貫通孔４３とを整合させつつ、取付ネジ１５を取り付けることで、支持部４２が水平をなすように筐体１に固着される。
【００１９】
支持部４２には、２つの取付孔（図示しない）が開口されており、図２に示すように、上向ヒンジピン５１および下向ヒンジピン５２が、それぞれ支持部４２の上面もしくは下面から突出するように嵌着される。図６に示すように、下向ヒンジピン５２は、上向ヒンジピン５１に対して、後方でかつ右方（基端縁３９に対応する側）に所定のシフト量Ｄだけシフトした位置に嵌着されるが、これらの配置については後述する。また、下向ヒンジピン５２が嵌着される取付孔よりも、さらに後方かつ右方には、後述するピン側カラー５０を上向ヒンジピン５１の周囲に取り付けるための行止り状の差込孔４６が形成されている。支持部４２の前縁は段差状をなし、右側の端部には係止部４７が形成されて、この係止部４７に、後述する第一扉３１のストッパ３５が当接することで、扉の開度が規制されるようになっている。
【００２０】
ヒンジプレート４０に嵌着された上向ヒンジピン５１の周囲には、図２および図３に表されているように、ピン側カラー５０が取り付けられる。ピン側カラー５０は合成樹脂製の部材であって、図３に示すように、各ヒンジピンの周囲に嵌着される部分に平面環形をなすカム面５５が配され、カム面５５から延出する基板部が次第に先細りとなる略三角形状をなすように形成されている。カム面５５の中心には、上向ヒンジピン５１もしくは下向ヒンジピン５２を挿通する挿通孔５６が開口されている。カム面５５には、３つの凸部５７が形成され、各凸部５７の両側には、下り勾配をなす傾斜部が形成され、それぞれ凹部を挟んで連なっている。
【００２１】
例えば上向ヒンジピン５１の周囲にピン側カラー５０を配設する際には、挿通孔５６を上向ヒンジピン５１に挿通させ、基板部の下面に形成された図示しない廻止め突起を差込孔４６に嵌め込むことで、ヒンジプレート４０の上面にピン側カラー５０を取り付ける。
【００２２】
一方、第一扉３１下縁および第二扉３２上縁には、基端縁３９寄りの位置に前後方向を長径とする長円形の嵌合孔が設けられ、この嵌合孔に、図２および図３に示すように孔側カラー６０が圧入固定されている。孔側カラー６０は、合成樹脂材によって平面視長円形をなすように形成された部材であって、前述の上向ヒンジピン５１および下向ヒンジピン５２を若干のクリアランスをもって挿通可能な２つの軸受孔、第一軸受孔６１および第二軸受孔６２が形成されている。孔側カラー６０において、第一軸受孔６１および第二軸受孔６２の回りには、平面環形のカム面６５が設けられ、凸部６７、傾斜部、凹部が周方向に繰り返し形成されている。第一扉３１下縁に装着される孔側カラー６０では、前側の第一軸受孔６１に上向ヒンジピン５１が嵌合され、第二扉３２上縁に装着される孔側カラー６０では、後側の第二軸受孔６２に下向ヒンジピン５２が嵌合されて、上向ヒンジピン５１もしくは下向ヒンジピン５２の周囲に取り付けられたピン側カラー５０のカム面５５に各カム面６５が当接した状態で、第一扉３１および第二扉３２が支持される。各カム面は、第一扉３１および第二扉３２を閉止した状態において、カム面５５の凸部５７と、カム面６５の凹部とがかみ合うように設定されている。また、第一扉３１下縁には、図２に示すようにストッパ３５が前縁に沿って取り付けられ、第一扉３１が所定の開度まで開かれると、前述のヒンジプレート４０端部に形成された係止部４７にストッパ３５が当接することで、第一扉３１の開き過ぎが規制されるようになっている。
【００２３】
このようなリフトヒンジ機構では、ピン側カラー５０に対して孔側カラー６０が相対的に回転することによって、扉３が昇降しつつ開閉されるようになっている。
例えば第一扉３１を閉じられた状態から開くと、第一扉３１の下縁に装着された孔側カラー６０のカム面６５は、ヒンジプレート４０上面に取り付けられたピン側カラー５０のカム面５５上で回転する。これにより、両カム面の凸部と凹部とが互いにかみ合っている状態から、上側の凸部６７が移動して下側の凹部から隣接する傾斜部に沿って凸部５７上に乗り上げ、第一扉３１は上昇しつつ開放される。反対に、開いている第一扉３１を閉じると、孔側カラー６０のカム面６５は、ピン側カラー５０のカム面５５の上で、開扉時とは逆の方向に回転移動する。これにより、両カム面の凸部同士が係合して上昇位置で開放されている状態から、上側の凸部６７が移動して下側の凸部５７から隣接する傾斜部に沿って凹部に滑り落ち、第一扉３１はカム面５５に倣って下降して閉止される。
なお、第一扉３１を、両カム面の凸部同士が係合して上昇位置で開放されている状態からさらに開く方向に回動させると、上側の凸部６７が傾斜部に沿って凹部に滑り落ち、所定角度に開いた状態で維持できるようになっている。
【００２４】
なお、本実施形態の扉装置１０では、ヒンジ機構４Ａおよびヒンジ機構４Ｃでも、ヒンジ機構４Ｂに係るものと同様のヒンジプレート４０を使用することができる。例えばヒンジ機構４Ａでは、筐体１上段の開口２の上縁に沿って固着したヒンジプレート４０に下向ヒンジピン５２のみを嵌着し、第一扉３１上縁に圧入固定した孔側カラー６０の第二軸受孔６２に、下向ヒンジピン５２を挿通させる。また、ヒンジ機構４Ｃでは、筐体１下段の開口２の下縁に沿って固着したヒンジプレート４０に上向ヒンジピン５１のみを嵌着し、この周囲にピン側カラー５０を装着する一方、第二扉３２下縁に孔側カラー６０を圧入固定して、第一軸受孔６１に上向ヒンジピン５１を挿通させる。なお、ヒンジ機構４Ｃに係るヒンジプレート４０としては、ヒンジ機構４Ａ，４Ｂに係るものとは左右対称に形成されたものを、取付部４１の上縁に支持部４２が配される姿勢で筐体１に固着して用いることができる。
【００２５】
本実施形態に係る扉装置１０は、オートクローズ方式となるように構成されている。ヒンジプレート４０において、図５および図６等に示すように、下向ヒンジピン５２の軸心（支持軸Ｚ２）よりも、上向ヒンジピン５１の軸心（支持軸Ｚ１）の方が前方に配されるように設定されているため、扉装置１０では、扉３において、上縁を支持するヒンジピンと下縁を支持するヒンジピンの軸心が、互いに前後方向にずれる。例えば第一扉３１では、上縁を支持するヒンジ機構４Ａの下向ヒンジピン５２の軸心（支持軸Ｚ２）よりも、下縁を支持するヒンジ機構４Ｂの上向ヒンジピン５１の軸心（支持軸Ｚ１）の方が、前方に配される。これにより、図１において一点鎖線で表されているように、第一扉３１の回動軸は前後方向に傾斜し、第一扉３１は、開放状態において回動軸の傾斜角度に相当する角度だけ傾斜した状態となるため、傾斜角度に起因する回動力の作用によって閉鎖方向に付勢される。この結果、容易かつ確実に扉が閉じられるようになっている。第二扉３２でも同様とされている。
【００２６】
続いて、扉３の傾きを軽減するための機構について、図７と図８とを比較しつつ説明する。なお、図７は、本実施形態に係る扉装置１０を模式的に表した図であり、図８は、従来の扉装置１１０を模式的に表した図である。扉装置１１０において、第一扉３１上縁を支持するヒンジ機構をヒンジ機構１０４Ａ、第一扉３１上縁と第二扉３２下縁を併せて支持するヒンジ機構をヒンジ機構１０４Ｂ、第二扉３２下縁を支持するヒンジ機構をヒンジ機構１０４Ｃとする。扉装置１１０では、ヒンジプレート１４０における上向ヒンジピン５１と下向ヒンジピン５２の配置が、本実施形態に係るヒンジプレート４０における配置とは異なっている。以下、扉装置１１０において扉装置１０と同様の部材については、同じ符号を付して説明を省略する。
【００２７】
ヒンジ機構を備えた扉装置１０および扉装置１１０において、上向ヒンジピン５１と第一軸受孔６１の間、並びに、下向ヒンジピン５２と第二軸受孔６２の間には、扉３のスムーズな回動を目的として、それぞれクリアランスが設定されている。例えば、各ヒンジピンの軸の直径は１０ｍｍ以下、各軸受孔の直径は１０．２ｍｍ以上として設計される。
【００２８】
従来の扉装置１１０に係るヒンジプレート１４０では、上向ヒンジピン５１と下向ヒンジピン５２の軸心が左右方向において同軸上に重畳するように設定されており、図８に示すように、扉装置１１０では、各ヒンジ機構１０４Ａ，１０４Ｂ，１０４Ｃに係る上向ヒンジピン５１および下向ヒンジピン５２の全ての軸心が、左右方向において同軸（支持軸Ｚ１）上に重畳するように構成される。このような扉装置１１０では、例えば図８における第二扉３２について示すように、第二扉３２の自重等によって左縦縁（基端縁３９とは逆の縦縁）側を下降させようとする力が働くと、下向ヒンジピン５２と第二軸受孔６２との間のクリアランスによってこうした動きが許容され、第二扉３２が傾いてしまう虞がある。
このような場合において、第二扉３２の傾きを軽減するために、ヒンジ機構１０４Ｂに係るヒンジプレート１４０を右方に移動させると、当該ヒンジプレート１４０から立設された上向ヒンジピン５１も右方に移動する。このようにすると、第一扉３１の支持状態が変化し、第一扉３１の傾きが助長される虞がある。他方、ヒンジ機構１０４Ｂに係るヒンジプレート１４０の固定位置を維持しつつ、ヒンジ機構１０４Ａに係るヒンジプレート１４０を右方に、ヒンジ機構１０４Ｃに係るヒンジプレート１４０を左方に、それぞれ移動させると、第一扉３１全体が本来の位置よりも右方に、第二扉３２全体が左方に配されることとなって、両者が上下に整列せず、それぞれ開口２を良好に閉止できなくなったり、開閉操作に支障をきたしたりする虞がある。
【００２９】
これに対し、本実施形態の扉装置１０に係るヒンジプレート４０では、下向ヒンジピン５２の軸心が、上向ヒンジピン５１の軸心に対して、左右方向において基端縁３９側にシフトするように設定されている。図７に示すように、扉装置１０では、第一扉３１および第二扉３２の上縁に設けられた第二軸受孔６２に挿通される下向ヒンジピン５２の軸心（支持軸Ｚ２）が、第一扉３１および第二扉３２の下縁に設けられた第一軸受孔６１に挿通される上向ヒンジピン５１の軸心（支持軸Ｚ１）よりも、右方（基端縁３９側）にシフトして設けられた構成とされている。このような扉装置１０では、例えば第二扉３２の左縦縁側を下降させようとする力が働いた場合であっても、ヒンジ機構１０４Ｂの下向ヒンジピン５２が、第二扉３２上縁に設けられた第二軸受孔６２の基端縁３９側の縁部に当接することにより、第二扉３２の傾きが規制される。
【００３０】
ここで、支持軸Ｚ２の支持軸Ｚ１に対するシフト量Ｄ、すなわちヒンジプレート４０における下向ヒンジピン５２軸心の上向ヒンジピン５１軸心に対するシフト量Ｄは、各ヒンジピンと各軸受孔との間に設定されるクリアランスに応じて設定できる。例えば上記のように、ヒンジピンの軸径を１０ｍｍ以下、軸受孔径を１０．２ｍｍ以上とした場合、シフト量Ｄを０．１３ｍｍに設定できる。このようにすれば、第一扉３１および第二扉３２において、上縁を支持する下向ヒンジピン５２は第二軸受孔６２の基端縁３９側の縁部に近接した状態で嵌合され、各扉３の傾きが効果的に軽減される。
【００３１】
本実施形態によれば、次のような作用効果を得ることができる。
本実施形態では、ヒンジプレート４０において、この下方に位置する第二扉３２の上縁を支持する下向ヒンジピン５２の軸心（支持軸Ｚ２）を、予め回動軸が近接して設けられる基端縁３９側にシフトして設けたことにより、第二扉３２の傾きを軽減できる。この際、ヒンジプレート４０の固着位置を変更するのとは異なり、第一扉３１の下縁を支持する支持軸Ｚ１は通常位置のまま維持されるため、第一扉３１の支持状態に影響を与えることなく、第二扉３２の傾きを軽減できる。この結果、開口２を確実に閉止するとともに、扉３の開閉に支障が生じる事態を抑制できる。上記構成の扉装置１０は、従来の構成の扉装置１１０と比較して、構成部品点数や製造工程を増加させることなく構成できるため、コストアップを招くこともない。また、本実施形態に係る扉装置１０では、ヒンジ機構４Ａ，４Ｂ，４Ｃにおいて、左右対称に構成した以外は基本的に同じ構造のヒンジプレート４０を使用できる。なお、左右対称な２種類のヒンジプレート４０を使用すれば、観音開き式の左右両側に配される全ての扉３を支持することができる。
【００３２】
本実施形態に係る扉装置１０では、軸の補正量、すなわち支持軸Ｚ２の支持軸Ｚ１に対するシフト量Ｄを、下向ヒンジピン５２の軸径および第二軸受孔の孔径から算出し、或いは両者の間のクリアランスを測定して、設定できる。このようにすれば、支持軸Ｚ２を適正量だけシフトさせて、第二扉３２の良好な開閉動作を担保しつつ上記のような効果を得ることができる。
【００３３】
＜その他の実施形態＞
本明細書によって開示される技術は、上記記述および図面によって説明した実施形態に限定されるものではなく、例えば次のような実施形態も技術的範囲に含まれる。
【００３４】
（１）上記実施形態では、扉装置１０において、ヒンジ機構４Ａ，４Ｂ，４Ｃに同様の構造のヒンジプレート４０を使用したが、これに限定されるものではなく、ヒンジ機構４Ａ，４Ｃには従来の構造のヒンジプレートを使用してもよい。
【００３５】
（２）本明細書に開示する扉装置１０は、リフトヒンジ機構を備えたものに限定されない。なお、孔側カラー６０のような樹脂製部材に軸受孔が設けられる構成のものでは、摩耗等によって扉３が傾き易くなるため、本技術を特に有用に適用できる。
【００３６】
（３）本明細書に開示する扉装置１０は、４枚扉のものや、観音開き式のものに限定されない。例えば、上下２枚の扉が片開き式に揺動開閉される貯蔵庫Ｓ１でも、好適に用いることができる。また、扉装置１０は、冷蔵庫に限らず、様々な貯蔵庫Ｓ１に適用できる。なお、冷蔵庫や冷凍庫、保温庫等の恒温貯蔵庫では、高いシール性と断熱性とを実現するために扉３の重量が増加し、ヒンジ機構の摺動部が摩耗して扉３が傾きやすくなるため、本技術を特に有用に適用できる。
【符号の説明】
【００３７】
Ｓ１：  貯蔵庫
１：  筐体
２：  開口
１０：  扉装置
３１：  第一扉
３２：  第二扉
３９：  基端縁（縦縁）
４０：  ヒンジプレート（支持部材）
５１：  上向ヒンジピン
５２：  下向ヒンジピン
Ｚ１：  支持軸（上向ヒンジピンの軸心）
Ｚ２：  支持軸（下向ヒンジピンの軸心）
Ｄ：  シフト量
【図１】
0006749124.tif 000002
【図２】
0006749124.tif 000003
【図３】
0006749124.tif 000004
【図４】
0006749124.tif 000005
【図５】
0006749124.tif 000006
【図６】
0006749124.tif 000007
【図７】
0006749124.tif 000008
【図８】
0006749124.tif 000009